(57)【要約】【課題】  波長が異なる３つのレーザー光によって異なる規格の光ディスクに記録されている信号の読み出し動作を行う光ピックアップ装置を提供する。【解決手段】  １レーザー光に非点収差を付加して第１光検出器２２に照射するＡＳ板２１と、２波長レーザーダイオード３から放射される第２レーザー光及び第３レーザー光を対物レンズ方向へ反射させるともに光ディスクから反射される第２レーザー光及び第３レーザー光を第２光検出器２６方向に透過させるハーフミラー１７を設け、前記ハーフミラー１７にて反射される第２レーザー光及び第３レーザー光を前記ＡＳ板２１にて反射させることによって偏光部材に入射させ、該偏光部材にて第１レーザー光、第２レーザー光及び第３レーザー光の光路を合成する。【選択図】  図１
2012059338.tif 000002
【特許請求の範囲】
【請求項１】
光ディスクの表面から信号記録層までの距離が短い第１光ディスクに記録されている信号の読み出し動作を行う第１波長の第１レーザー光を放射するレーザーダイオード、光ディスクの表面から信号記録層までの距離が前記第１光ディスクより長い第２光ディスクに記録されている信号の読み出し動作を行う第２波長の第２レーザー光を放射する第１レーザー素子及び光ディスクの表面から信号記録層までの距離が前記第２光ディスクより長い第３光ディスクに記録されている信号の読み出し動作を行う第３波長の第３レーザー光を放射する第２レーザー素子が設けられている２波長レーザーダイオードが組み込まれた光ピックアップ装置において、レーザーダイオードから放射される第１レーザー光を対物レンズ方向へ導くとともに第１光ディスクの信号記録層から反射される第１レーザー光を第１光検出器方向へ導く偏光部材と、該偏光部材と第１光検出器との間に設けられているとともに第１レーザー光に非点収差を付加するＡＳ板と、２波長レーザーダイオードから放射される第２レーザー光及び第３レーザー光を対物レンズ方向へ反射させるともに前記第２光ディスクの信号記録層及び第３光ディスクの信号記録層から反射される第２レーザー光及び第３レーザー光を第２光検出器方向に透過させるハーフミラーと、前記偏光部材と対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板とより成り、前記ハーフミラーにて反射される第２レーザー光及び第３レーザー光を前記ＡＳ板にて反射させることによって前記偏光部材に入射させ、該偏光部材にて第１レーザー光、第２レーザー光及び第３レーザー光の光路を合成するようにしたことを特徴とする光ピックアップ装置。
【請求項２】
偏光部材として偏光ビームスプリッタを使用したことを特徴とする請求項１に記載に光ピックアップ装置。
【請求項３】
第１レーザー光を第１光ディスクの信号記録層に集光させる第１対物レンズと第２レーザー光を第２光ディスクの信号記録層に集光させるとともに第３レーザー光を第３光ディスクの信号記録層に集光させる第２対物レンズとより成る請求項１に記載の光ピックアップ装置。
【請求項４】
第１レーザー光を第１光ディスクの信号記録層に集光させるとともに第２レーザー光を第２光ディスクの信号記録層に集光させ、且つ第３レーザー光を第３光ディスクの信号記録層に集光させる対物レンズを３波長互換の１つの対物レンズにて構成したことを特徴とする請求項１に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、波長が７８５ｎｍである赤外光が使用され、ＤＶＤ規格の光ディスクに記録されている信号の読み出し動作行うレーザー光としては、波長が６５５ｎｍの赤色光が使用されている。
【０００５】
また、ＣＤ規格の光ディスクにおける信号記録層と光ディスクの表面との間に設けられている透明な保護層の厚さは１．２ｍｍであり、この信号記録層から信号の読み出し動作を行うために使用される対物レンズの開口数は、０．４７と設定されている。そして、ＤＶＤ規格の光ディスクにおける信号記録層と光ディスクの表面との間に設けられている透明な保護層の厚さは０．６ｍｍであり、この信号記録層から信号の読み出し動作を行うために使用される対物レンズの開口数は、０．６と設定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００８】
Ｂｌｕ−ｒａｙ規格の光ディスクに設けられている信号記録層に記録されている信号の読み出し動作や該信号記録層に信号を記録するためにレーザー光を集光させることによって生成されるレーザースポットの径を小さくする必要がある。所望のレーザースポット形状を得るために使用される対物レンズは、開口数が大きくなるだけでなく焦点距離が短くなるので、対物レンズの曲率半径が小さくなるという特徴がある。
【０００９】
前述したＣＤ規格、ＤＶＤ規格及びＢｌｕ−ｒａｙ規格の全ての光ディスクに記録されている信号の読み出し動作や記録動作を行うことが出来る光ディスク装置が製品化されているが、斯かる光ディスク装置に組み込まれる光ピックアップ装置として、Ｂｌｕ−ｒａｙ規格の光ディスクに記録されている信号の読み出し動作を行う第１レーザー光を放射するレーザーダイオード、該レーザーダイオードから放射される第１レーザー光を信号記録層に集光させる第１対物レンズ、ＤＶＤ規格の光ディスクに記録されている信号の読み出し動作を行う第２レーザー光及びＣＤ規格の光ディスクに記録されている信号の読み出し動作を行う第３レーザー光を放射する２波長レーザーダイオード、そして第２レーザー光
及び第３レーザー光を各光ディスクの信号記録層に集光させる第２対物レンズが組み込まれた光ピックアップ装置が一般に採用されている(特許文献１参照。)。
【００１０】
また、異なる波長の第１レーザー光、第２レーザー光及び第３レーザー光を一つの対物レンズ、即ち３波長互換の対物レンズによって第１光ディスクの信号記録層、第２光ディスクの信号記録層及び第３光ディスクの信号記録層に集光させるようにした技術が開発されている(特許文献２参照。)。
【先行技術文献】
【特許文献】
【００１１】
【特許文献１】特開２０１０−６１７８１号公報
【特許文献２】特開２００６−２３６４１４号公報
【発明の概要】
【発明が解決しようとする課題】
【００１２】
１つの波長のレーザー光を放射するレーザーダイオード、２つの波長のレーザー光を放射する２波長レーザーダイオード、そして２つの対物レンズによって規格の異なる３つの光ディスクに記録されている信号の読み出し動作を行うように構成された光ピックアップ装置において、各レーザー光毎に光路を設けた場合には多くの光学部品を必要とするため高価になるだけでなく、小型化することが出来ないという問題がある。
【００１３】
斯かる問題を解決する方法として特許文献１に記載されているように光路を兼用するとともに光検出器を兼用する技術が提供されている。しかしながら、斯かる技術は光路合成を行う光学素子として２つの偏光ビームスプリッタを使用しているので製造価格が高くなるという問題がある。
【００１４】
斯かる問題を解決する方法として１つの偏光ビームスプリッタと１つのハーフミラーを利用して第１レーザー光、第２レーザー光及び第３レーザー光の光路を共通化することが行われている。斯かる構成の従来の光ピックアップ装置について図２及び図３を参照して説明する。
【００１５】
図３において、１は例えば波長が４０５ｎｍの青紫色光である第１レーザー光を生成放射するレーザーダイオード、２は前記レーザーダイオード１から放射される第１レーザー光が入射される第１回折格子であり、レーザー光を０次光であるメインビーム、＋１次光及び−１次光である２つのサブビームに分離する回折格子部２ａと入射されるレーザー光をＳ方向の直線偏光光に変換する１／２波長板２ｂとより構成されている。
【００１６】
３は例えば波長が６５５ｎｍの赤色光である第２レーザー光を生成放射する第１レーザー素子及び７８５ｎｍの赤外色光である第３レーザー光を生成放射する第２レーザー素子が同一のケース内に収納されている２波長レーザーダイオードである。
【００１７】
４は前記２波長レーザーダイオード３に組み込まれている第１レーザー素子から放射される第２レーザー光及び第２レーザー素子から放射される第３レーザー光が入射される第２回折格子であり、レーザー光を０次光であるメインビーム、＋１次光及び−１次光である２つのサブビームに分離する回折格子部４ａと入射されるレーザー光をＳ方向の直線偏光光に変換する１／２波長板４ｂとより構成されている。
【００１８】
５は前記２波長レーザーダイオード３から放射される第２レーザー光及び第３レーザー光が前記第２回折格子４を通して入射される位置に設けられているダイバージェンスレンズであり、入射される発散光であるレーザー光の発散角度を調整する作用を成すものであ
る。
【００１９】
６は前記第１回折格子２を透過して入射される第１レーザー光のＳ偏光光を反射するとともに後述する光路を通して光ディスクから反射されてくる第１レーザー光、第２レーザー光及び第３レーザー光の戻り光であるＰ偏光光を透過するハーフミラーである。７は前記第２回折格子４及びダイバージェンスレンズ５を通して入射される第２レーザー光及び第３レーザー光のＳ偏光光を反射するとともに前記ハーフミラー６にて反射されて入射される第１レーザー光を透過させ、且つ光ディスクから反射されてくる第１レーザー光、第２レーザー光及び第３レーザー光の戻り光であるＰ偏光光を透過させる偏光ビームスプリッタである。
【００２０】
斯かる構成の偏光ビームスプリッタ７において、前記第２回折格子４及びダイバージェンスレンズ５を通して入射される第２レーザー光及び第３レーザー光のＳ偏光光の一部を透過させるとともにハーフミラー６から反射されて入射される第１レーザー光のＳ偏光光の一部を反射させるように構成されている。８は前記偏光ビームスプリッタ７にて反射される第１レーザー光、該偏光ビームスプリッタ７を透過する第２レーザー光及び第３レーザー光が照射される位置に設けられているフロントモニターダイオードであり、各レーザー光の出力に応じた検出信号を出力するように構成されている。即ち、前記フロントモニターダイオード８から得られる検出信号を利用することによってレーザー出力を所望のレーザー出力になるように制御することが出来る。
【００２１】
９は前記偏光ビームスプリッタ７を透過した第１レーザー光、該偏光ビームスプリッタ７にて反射された第２レーザー光及び第３レーザー光が入射される位置に設けられているとともに３つの異なる波長のレーザー光に対応して入射されるレーザー光を直線偏光光から円偏光光に、また反対に円偏光光から直線偏光光に変換する作用を成す３波長対応型の１／４波長板である。
【００２２】
１０は前記１／４波長板９を透過したレーザー光が入射されるとともに入射されるレーザー光を平行光に変換するコリメートレンズであり、該コリメートレンズ１０の光軸方向への変位動作によって光ディスクの保護層の厚さに基づいて生じる球面収差を補正するように構成されている。
【００２３】
１１は第１レーザー光を第１光ディスクＤ１(図２参照)に設けられている信号記録層Ｌ１に集光する第１対物レンズ、１２は第２レーザー光を第２光ディスクＤ２に設けられている信号記録層Ｌ２に集光させるとともに第３レーザー光を第３光ディスクＤ３に設けられている信号記録層Ｌ３に集光させる第２対物レンズである。斯かる構成において、第１対物レンズ１１と第２対物レンズ１２とは、例えば４本の支持ワイヤーによって光ディスクの面に対して直角方向であるフォーカシング方向への変位動作及び光ディスクの径方向であるトラッキング方向への変位動作を行うことが出来るように支持されているレンズホルダーと呼ばれる部材に搭載されている。
【００２４】
前記コリメートレンズ１０を透過した第１レーザー光、第２レーザー光及び第３レーザー光は、図２に示す光学系によって第１対物レンズ１１及び第２対物レンズ１２に導かれるように構成されている。図２において、１３は波長選択性素子であり、第１レーザー光を透過させるとともに第２レーザー光及び第３レーザー光を第２対物レンズ１２方向へ反射させるように構成されている。１４は前記波長選択性素子１３を透過した第１レーザー光を第１対物レンズ１１方向へ反射させる立ち上げミラーである。斯かる構成は特許文献１に記載されている技術と同一である。
【００２５】
斯かる構成において、コリメートレンズ１０を透過した第１レーザー光は、前記波長選
択性素子１３を透過するとともに立ち上げミラー１４にて反射されて第１対物レンズ１１に入射されることになる。このようにして第１対物レンズ１１に入射された第１レーザー光は、該第１対物レンズ１１の集光動作によって第１光ディスクＤ１に設けられている信号記録層Ｌ１に集光されることになる。
【００２６】
また、コリメートレンズ１０を透過した第２レーザー光は、前記波長選択性素子１３にて反射されて第２対物レンズ１２に入射されることになる。このようにして第２対物レンズ１２に入射された第２レーザー光は、該第２対物レンズ１２の集光動作によって第２光ディスクＤ２に設けられている信号記録層Ｌ２に集光されることになる。そして、コリメートレンズ１０を透過した第３レーザー光は、前記波長選択性素子１３にて反射されて第２対物レンズ１２に入射されることになる。このようにして第２対物レンズ１２に入射された第３レーザー光は、該第２対物レンズ１２の集光動作によって第３光ディスクＤ３に設けられている信号記録層Ｌ３に集光されることになる。
【００２７】
斯かる構成において、レーザーダイオード１から放射された第１レーザー光は、第１回折格子２、ハーフミラー６、偏光ビームスプリッタ７、１／４波長板９、コリメートレンズ１０、波長選択性素子１３及び立ち上げミラー１４を介して第１対物レンズ１１に入射された後、該第１対物レンズ１１の集光動作によって第１光ディスクＤ１に設けられている信号記録層Ｌ１に集光スポットとして照射されるが、前記信号記録層Ｌ１に照射された第１レーザー光は該信号記録層Ｌ１にて戻り光として反射されることになる。
【００２８】
また、２波長レーザーダイオード３の第１レーザー素子から放射された第２レーザー光は、第２回折格子４、ダイバージェンスレンズ５、偏光ビームスプリッタ７、１／４波長板９、コリメートレンズ１０及び波長選択性素子１３を介して第２対物レンズ１２に入射された後、該第２対物レンズ１２の集光動作によって第２光ディスクＤ２に設けられている信号記録層Ｌ２に集光スポットとして照射されるが、前記信号記録層Ｌ２に照射された第２レーザー光は該信号記録層Ｌ２にて戻り光として反射されることになる。
【００２９】
そして、２波長レーザーダイオード３の第２レーザー素子から放射された第３レーザー光は、第２回折格子４、ダイバージェンスレンズ５、偏光ビームスプリッタ７、１／４波長板９、コリメートレンズ１０及び波長選択性素子１３を介して第２対物レンズ１２に入射された後、該第２対物レンズ１２の集光動作によって第３光ディスクＤ３に設けられている信号記録層Ｌ３に集光スポットとして照射されるが、前記信号記録層Ｌ３に照射された第３レーザー光は該信号記録層Ｌ３にて戻り光として反射されることになる。
【００３０】
第１光ディスクＤ１の信号記録層Ｌ１から反射された第１レーザー光の戻り光は、第１対物レンズ１１、立ち上げミラー１４、波長選択性素子１３、コリメートレンズ１０、１／４波長板９及び偏光ビームスプリッタ７を通してハーフミラー６に入射される。このようにしてハーフミラー６に入射される戻り光は、前記１／４波長板９による位相変更動作によってＰ方向の直線偏光光に変更されている。従って、斯かる第１レーザー光の戻り光は前記ハーフミラー６にて反射されることはなく、制御用レーザー光として該ハーフミラー６を透過することになる。
【００３１】
また、第２光ディスクＤ２の信号記録層Ｌ２から反射された第２レーザー光の戻り光は、第２対物レンズ１２、波長選択性素子１３、コリメートレンズ１０、１／４波長板９及び偏光ビームスプリッタ７を通してハーフミラー６に入射される。このようにしてハーフミラー６に入射される戻り光は、前記１／４波長板９による位相変更動作によってＰ方向の直線偏光光に変更されている。従って、斯かる第２レーザー光の戻り光は前記ハーフミラー６にて反射されることはなく、制御用レーザー光として該ハーフミラー６を透過することになる。
【００３２】
そして、第３光ディスクＤ３の信号記録層Ｌ３から反射された第３レーザー光の戻り光は、第２対物レンズ１２、波長選択性素子１３、コリメートレンズ１０、１／４波長板９及び偏光ビームスプリッタ７を通してハーフミラー６に入射される。このようにしてハーフミラー６に入射される戻り光は、前記１／４波長板９による位相変更動作によってＰ方向の直線偏光光に変更されている。従って、斯かる第３レーザー光の戻り光は前記ハーフミラー６にて反射されることはなく、制御用レーザー光として該ハーフミラー６を透過することになる。
【００３３】
１５は前記ハーフミラー６を透過した制御用レーザー光が入射されるＡＳ板であり、該ハーフミラー６にて生成される非点収差の大きさをフォーカスエラー信号を生成するために適した大きさになるように拡大する作用を成すとともに該ハーフミラー６にて発生するコマ収差を補正する作用を成すものである。１６は前記ＡＳ板１５を通して制御用レーザー光が照射される光検出器であり、周知の４分割センサー等が設けられており、メインビームの照射動作によって光ディスクの信号記録層に記録されている信号の読み出し動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００３４】
前述したようにレーザーダイオード１から放射される第１レーザー光の第１光ディスクＤ１の信号記録層Ｌ１までの往路、２波長レーザーダイオード３から放射される第２レーザー光の第２光ディスクＤ２の信号記録層Ｌ２までの往路及び２波長レーザーダイオード３から放射される第３レーザー光の第３光ディスクＤ３の信号記録層Ｌ３までの往路について比較すると、偏光ビームスプリッタ７から波長選択性素子１３までの光路を兼用していることがわかる。
【００３５】
そして、第１光ディスクＤ１の信号記録層Ｌ１から反射される第１レーザー光の戻り光の光検出器１６までの復路、第２光ディスクＤ２の信号記録層Ｌ２から反射される第２レーザー光の戻り光の光検出器１６までの復路及び第３光ディスクＤ３の信号記録層Ｌ３から反射される第３レーザー光の戻り光の光検出器１６までの復路につて比較すると、波長選択性素子１３から光検出器１６までの光路を兼用していることがわかる。
【００３６】
図３に示した従来の光ピックアップ装置は、レーザー光を光ディスクの信号記録層に導く往路及び光ディスクの信号記録層から反射される戻り光を光検出器１６に導く復路を兼用しているので、光学部品の数を減らすことが出来る。その結果、製造価格を下げることが出来るだけでなく光ピックアップ装置を小型化することが出来るという利点を有している。
【００３７】
斯かる構成の光ピックアップ装置では、ＡＳ板及び光検出器１６を第１レーザー光、第２レーザー光及び第３レーザー光の全てのレーザー光にて兼用しているので、全てのレーザー光に最適な検出動作を行うように構成することは困難である。
【００３８】
本発明は、斯かる点を改良した光ピックアップ装置を提供しようとするものである。
【課題を解決するための手段】
【００３９】
本発明は、光ディスクの表面から信号記録層までの距離が短い第１光ディスクに記録されている信号の読み出し動作を行う第１波長の第１レーザー光を放射するレーザーダイオード、光ディスクの表面から信号記録層までの距離が前記第１光ディスクより長い第２光ディスクに記録されている信号の読み出し動作を行う第２波長の第２レーザー光を放射す
る第１レーザー素子及び光ディスクの表面から信号記録層までの距離が前記第２光ディスクより長い第３光ディスクに記録されている信号の読み出し動作を行う第３波長の第３レーザー光を放射する第２レーザー素子が設けられている２波長レーザーダイオードが組み込まれた光ピックアップ装置において、レーザーダイオードから放射される第１レーザー光を対物レンズ方向へ導くとともに第１光ディスクの信号記録層から反射される第１レーザー光を第１光検出器方向へ導く偏光部材と、該偏光部材と第１光検出器との間に設けられているとともに第１レーザー光に非点収差を付加するＡＳ板と、２波長レーザーダイオードから放射される第２レーザー光及び第３レーザー光を対物レンズ方向へ反射させるともに前記第２光ディスクの信号記録層及び第３光ディスクの信号記録層から反射される第２レーザー光及び第３レーザー光を第２光検出器方向に透過させるハーフミラーと、前記偏光部材と対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板とを設け、前記ハーフミラーにて反射される第２レーザー光及び第３レーザー光を前記ＡＳ板にて反射させることによって前記偏光部材に入射させ、該偏光部材にて第１レーザー光、第２レーザー光及び第３レーザー光の光路を合成するようにしたことを特徴とするものである。
【発明の効果】
【００４０】
本発明は、波長が異なる第１、第２及び第３レーザー光によって規格の異なる第１、第２及び第３光ディスクに設けられている信号記録層に集光させることによって各信号記録層に記録されている信号の読み出し動作を行うように構成された光ピックアップ装置において、第１レーザー光が照射される第１光検出器と第２レーザー光及び第３レーザー光が照射される第２光検出器の２つの光検出器を設けるとともに第１レーザー光の光検出器の検出動作に使用されるＡＳ板を利用して第２レーザー光及び第３レーザー光を第１レーザー光の光路に設けられている偏光部材に入射させることによって第１レーザー光、第２レーザー光及び第３レーザー光の光路合成を行うようにしたので、光ピックアップ装置の光学構成を簡潔にすることが出来るだけでなく各レーザー光に適した光検出器による検出動作を正確に行うことが出来るように構成することが出来るという利点を有している。
【図面の簡単な説明】
【００４１】
【図１】本発明に係る光ピックアップ装置の一実施例を示す概略図である。
【図２】本発明に係る光ピックアップ装置の実施例の一部を示す図である。
【図３】従来の光ピックアップ装置の一実施例を示す概略図である。
【発明を実施するための形態】
【００４２】
単一のレーザー光を生成するレーザーダイオード及び異なる波長の２つのレーザー光を生成する２波長レーザーダイオードから放射されるレーザー光を利用して異なる規格の光ディスクに設けられている信号記録層に記録されている信号の読み出し動作を行うように構成された光ピックアップ装置に関するものである。
【実施例１】
【００４３】
図１は本発明の光ピックアップ装置の一実施例であり、図１及び図２を参照して本発明について説明する。尚、図３に示した光ピックアップ装置と同一の作用を成す部品には同一の符号を付している。
【００４４】
１７は第２回折格子４を通して入射される第２レーザー光及び第３レーザー光のＳ偏光光の多くを対物レンズ方向へ反射させるとともに一部をモニター光として透過させ、且つ第２光ディスクＤ２の信号記録層Ｌ２及び第３光ディスクＤ３の信号記録層Ｌ３から反射される戻り光を透過させるハーフミラーである。
【００４５】
１８は第１フロントモニターダイオードであり、前記ハーフミラー１７を透過した第２レーザー光及び第３レーザー光のモニター光が照射される位置に設けられている。従って、前記第１フロントモニターダイオード１８から得られる検出信号を利用することによって２波長レーザーダイオード３から放射される第２レーザー光及び第３レーザー光の出力を所望のレーザー出力になるように制御することが出来る。
【００４６】
１９は前記ハーフミラーにて反射される第２レーザー光及び第３レーザー光を平行光に変換する第１コリメートレンズ、２０は前記第１回折格子２を通して入射されるＳ偏光光である第１レーザー光を対物レンズ方向へ反射させるとともに後述するように第１光ディスクＤ１の信号記録層Ｌ１、第２光ディスクＤ２の信号記録層Ｌ２及び第３光ディスクＤ３の信号記録層Ｌ３から反射される第１レーザー光、第２レーザー光及び第３レーザー光を透過させる偏光ビームスプリッタである。
【００４７】
２１は前記偏光ビームスプリッタ２０を透過して入射される第１レーザー光を透過させるとともに該第１レーザー光に非点収差を発生させるＡＳ板であり、第１光検出器２２に第１レーザー光を制御用レーザー光として照射させるように構成されている。
【００４８】
斯かる構成において、前記ハーフミラー１７にて反射された第２レーザー光及び第３レーザー光は、第１コリメートレンズ１９を通して前記ＡＳ板２１に入射され、該ＡＳ板２１によって前記偏光ビームスプリッタ２０方向に反射されるように構成されている。斯かる構成によれば、前記偏光ビームスプリッタ２０によって第１レーザー光、第２レーザー光及び第３レーザー光の光路が同一の光路に統一される光路合成が行われることになる。
【００４９】
２３は３波長対応型の１／４波長板９を通して入射される第１レーザー光、第２レーザー光及び第３レーザー光を対物レンズ方向に反射させる反射ミラーであり、第１レーザー光の一部をモニター光として透過させるように波長選択特性を有するように構成されている。
【００５０】
２４は第２フロントモニターダイオードであり、前記反射ミラー２３を透過した第１レーザー光のモニター光が照射される位置に設けられている。従って、前記第２フロントモニターダイオード２４から得られる検出信号を利用することによってレーザーダイオード１から放射される第１レーザー光の出力を所望のレーザー出力になるように制御することが出来る。
【００５１】
２５は前記反射ミラー２３と対物レンズとの間に設けられている第２コリメートレンズであり、光軸方向へ変位させることによって第１レーザー光、第２レーザー光及び第３レーザー光を各レーザー光に合った平行光に変換するように構成されている。斯かる第２コリメートレンズ２５の光軸方向への変位動作はステッピングモーター等を利用して行うように構成されるが、斯かる技術は周知であるので、その説明は省略する。
【００５２】
２６は前記ハーフミラー１７を透過する第２レーザー光及び第３レーザー光の戻り光が照射される位置に設けられている第２光検出器であり、該ハーフミラー１７によって非点収差が付加されるように構成されている。
【００５３】
斯かる構成において、レーザーダイオード１から生成放射される第１レーザー光は、第１回折格子２、偏光ビームスプリッタ２０、１／４波長板９、反射ミラー２３、第２コリメートレンズ２５、波長選択性素子１３及び立ち上げミラー１４を介して第１対物レンズ１１に導かれ、該第１対物レンズ１１の集光動作によって第１光ディスクＤ１の信号記録層Ｌ１に集光される。
【００５４】
また、前記第１光ディスクＤ１の信号記録層Ｌ１から反射される第１レーザー光の戻り光は、第１対物レンズ１１、立ち上げミラー１４、波長選択性素子１３、第２コリメートレンズ２５、反射ミラー２３、１／４波長板９、偏光ビームスプリッタ２０及びＡＳ板２１を介して第１光検出器２２に照射される。
【００５５】
そして、レーザーダイオード１から放射される第１レーザー光の一部が反射ミラー２３を透過して第２フロントモニターダイオード２４に照射される動作が行われる。
【００５６】
このように、レーザーダイオード１から放射される第１レーザー光の第１光ディスクＤ１の信号記録層Ｌ１への集光動作、該信号記録層Ｌ１から反射される戻り光の第１光検出器２２への照射動作及び第２フロントモニターダイオード２４へのモニター光の照射動作が行われるので、フォーカス制御動作、トラッキング制御動作及びレーザー光の出力制御動作を行うことによって第１光ディスクＤ１の信号記録層Ｌ１に記録されている信号の読み出し動作を行うことが出来る。
【００５７】
次に、２波長レーザーダイオード３から生成放射される第２レーザー光は、第２回折格子４、ハーフミラー１７、第１コリメートレンズ１９、ＡＳ板２１、偏光ビームスプリッタ２０、１／４波長板９、反射ミラー２３、第２コリメートレンズ２５及び波長選択性素子１３を介して第２対物レンズ１２に導かれ、該第２対物レンズ１２の集光動作によって第２光ディスクＤ２の信号記録層Ｌ２に集光される。
【００５８】
また、前記第２光ディスクＤ２の信号記録層Ｌ２から反射される第２レーザー光の戻り光は、第２対物レンズ１２、波長選択性素子１３、第２コリメートレンズ２５、反射ミラー２３、１／４波長板９、偏光ビームスプリッタ２０、ＡＳ板２１、第１コリメートレンズ１９及びハーフミラー１７を介して第２光検出器２６に照射される。
【００５９】
そして、２波長レーザーダイオード３から放射される第２レーザー光の一部がハーフミラー１７を透過して第１フロントモニターダイオード１８に照射される動作が行われる。
【００６０】
このように、２波長レーザーダイオード３から放射される第２レーザー光の第２光ディスクＤ２の信号記録層Ｌ２への集光動作、該信号記録層Ｌ２から反射される戻り光の第２光検出器２６への照射動作及び第１フロントモニターダイオード１８へのモニター光の照射動作が行われるので、フォーカス制御動作、トラッキング制御動作及びレーザー光の出力制御動作を行うことによって第２光ディスクＤ２の信号記録層Ｌ２に記録されている信号の読み出し動作を行うことが出来る。
【００６１】
また、前記２波長レーザーダイオード３から生成放射される第３レーザー光は、第２回折格子４、ハーフミラー１７、第１コリメートレンズ１９、ＡＳ板２１、偏光ビームスプリッタ２０、１／４波長板９、反射ミラー２３、第２コリメートレンズ２５及び波長選択性素子１３を介して第２対物レンズ１２に導かれ、該第２対物レンズ１２の集光動作によって第３光ディスクＤ３の信号記録層Ｌ３に集光される。
【００６２】
そして、前記第３光ディスクＤ３の信号記録層Ｌ３から反射される第３レーザー光の戻り光は、第２対物レンズ１２、波長選択性素子１３、第２コリメートレンズ２５、反射ミラー２３、１／４波長板９、偏光ビームスプリッタ２０、ＡＳ板２１、第１コリメートレンズ１９及びハーフミラー１７を介して前記第２光検出器２６に照射される。
【００６３】
また、２波長レーザーダイオード３から放射される第３レーザー光の一部がハーフミラー１７を透過して第１フロントモニターダイオード１８に照射される動作が行われる。
【００６４】
このように、２波長レーザーダイオード３から放射される第３レーザー光の第３光ディスクＤ３の信号記録層Ｌ３への集光動作、該信号記録層Ｌ３から反射される戻り光の第２光検出器２６への照射動作及び第１フロントモニターダイオード１８へのモニター光の照射動作が行われるので、フォーカス制御動作、トラッキング制御動作及びレーザー光の出力制御動作を行うことによって第３光ディスクＤ３の信号記録層Ｌ３に記録されている信号の読み出し動作を行うことが出来る。
【００６５】
尚、本実施例では、第１レーザー光を第１光ディスクＤ１の信号記録層Ｌ１に集光させる第１対物レンズ１１と第２レーザー光を第２光ディスクＤ２の信号記録層Ｌ２に集光させるとともに第３レーザー光を第３光ディスクＤ３の信号記録層Ｌ３に集光させる第２対物レンズ１２の２つの対物レンズを備えた光ピックアップ装置に実施した場合について説明したが、３波長互換の対物レンズ、即ち１つの対物レンズを備えた光ピックアップ装置に実施することも出来る。
【産業上の利用可能性】
【００６６】
ＣＤ規格、ＤＶＤ規格及びＢｌｕ−ｒａｙ規格の光ディスク記録されている信号の読み出し動作を行う光ピックアップ装置に実施した場合について説明したが、その他の異なる規格の光ディスクに記録されている信号の読み出し動作を行うことが出来る光ピックアップ装置に実施することも出来る。
【符号の説明】
【００６７】
１      レーザーダイオード
３      ２波長レーザーダイオード
９      １／４波長板
１１    第１対物レンズ
１２    第２対物レンズ
１７    ハーフミラー
１８    第１フロントモニターダイオード
１９    第１コリメートレンズ
２０    偏光ビームスプリッタ
２１    ＡＳ板
２２    第１光検出器
２４    第２フロントモニターダイオード
２５    第２コリメートレンズ
２６    第２光検出器
【図１】
2012059338.tif 000003
【図２】
2012059338.tif 000004
【図３】
2012059338.tif 000005